(57)【要約】【課題】有線接続通信網システムと、少なくとも部分的に無線接続される無線アクセスシステムとからなる、データをセル（Ｃ１〜Ｃ１０）として運ぶ遠隔通信システムにおいて、該無線システム内での内部制御のためにセル向けデータを転送するためにセルのヘッダフィールドに使用可能なスペースが残るように、該無線システム内ではショートアドレッシング方式を使用するものを提供する。【解決手段】交換機として動作する基地局コントローラＢＳＣは種々の経路を経由するようにルーティングされた各セルをメモリ（ＭＥＭ、ＭＥＭ１、ＭＥＭ２）に記憶させることにより組み合わせ、該メモリにおいて各通し番号に対応するセルがそれらの質表示子により表される順序に配列され、各通し番号について最良の質を表す１つのセルだけが読み出され、その読み出されたセルから形成されるセルの列を通信網システムへ回送する。【選択図】図４
2006311610.tif 000002
【特許請求の範囲】
【請求項１】
遠隔通信システムにおいて無線アクセスシステム内で情報転送を実施する方法であって、その遠隔通信システムは、無線通信に基づいていて端末装置（ＭＴ１、ＭＴ２）、少なくとも１つの基地局（ＢＴＳ１、ＢＴＳ２、ＢＴＳ３）及び交換機（ＢＳＣ）から成る無線アクセスシステムと、有線通信に基づいていて各ノードから成る通信網システム（ＡＴＭ）とを含んでおり、前記交換機（ＢＳＣ）は同時に前記通信網システムの１つのノードでもあり、前記方法は、ヘッダフィールドを含むヘッダ部分を有するセル（Ｃ１−Ｃ１０）として情報を伝送させるようになっており、前記無線アクセスシステム内では前記セルに関してショートアドレッシング方式を使用し、各セルのアドレスデータを前記ヘッダフィールドの所定の部分で運ばせ、前記無線アクセスシステム内でのデータ転送に関するセル向けの他のデータを前記ヘッダフィールドの残りの部分で運ばせることを特徴とする方法。
【請求項２】
セル向けの前記の他のデータは、運ばれるべきデータの出所である端末装置（ＭＴ１、ＭＴ２）の識別子を含む、請求項１に記載の方法。
【請求項３】
セル向けの前記の他のデータは、連続するセルにより形成されるセルの列の中での他のセルとの関係での前記セルの位置を表示する識別子を含む、請求項１又は２に記載の方法。
【請求項４】
セル向けの前記の他のデータは、前記セルに含まれているデータの正しさを表示する質表示子を含む、請求項１乃至３のうちのいずれか１項に記載の方法。
【請求項５】
前記セル（Ｃ１〜Ｃ１０）は、無線アクセスシステムにおいて前記端末装置（ＭＴ１、ＭＴ２）から少なくとも２つの基地局（ＢＴＳ１、ＢＴＳ２、ＢＴＳ３）を介して前記交換機（ＢＳＣ）に至るようにルーティングされる、請求項１乃至４のうちのいずれか１項に記載の方法。
【請求項６】
前記交換機（ＢＳＣ）は、種々の基地局を経由するように或る端末装置からルーティングされたセル（Ｃ１〜Ｃ１０）を組み合わせて、前記通信網システム（ＡＴＭ）へ回送されるべき１つのセルの列とする、請求項５に記載の方法。
【請求項７】
組み合わされて前記の１つのセルの列となるべく種々の基地局を経由するように或る端末装置（ＭＴ１）からルーティングされたセル（Ｃ１、Ｃ２、Ｃ３、Ｃ４、Ｃ６）は、該セル同士の相対的位置を表示する識別子により与えられる順序で該交換機の記憶手段（ＭＥＭ、ＭＥＭ１、ＭＥＭ２）に記憶される、請求項６に記載の方法。
【請求項８】
組み合わされて前記の１つのセルの列となるべく種々の基地局を経由するように或る端末装置（ＭＴ１）からルーティングされたセル（Ｃ１、Ｃ２、Ｃ３、Ｃ４、Ｃ６）は、該セルの正しさを表示する質表示子により与えられる順序でも該交換機の記憶手段（ＭＥＭ、ＭＥＭ１、ＭＥＭ２）に記憶される、請求項７に記載の方法。
【請求項９】
遠隔通信システムにおいて有線接続通信網システムと、少なくとも部分的に無線接続される無線アクセスシステムとの間で情報をセルの形で転送するための交換装置であって、前記無線アクセスシステムは端末装置（ＭＴ１、ＭＴ２）と少なくとも１つの基地局（ＢＴＳ１、ＢＴＳ２、ＢＴＳ３）と交換機（ＢＳＣ）とから成り、前記通信網システムは各ノードから成り、前記交換機（ＢＳＣ）は同時に前記通信網システムの１つのノードでもあり、前記交換装置は、メモリ手段（ＭＥＭ）と、前記無線アクセスシステムで転送されるセルのヘッダ部分を解釈すると共に、該セルのヘッダ部分に含まれるセル向けデータに基づいて前記メモリ手段に該セルを記憶させるための手段（ＬＯＧ１）とを有することを特徴とする交換装置。
【請求項１０】
セルのヘッダ部分に含まれている、セルの列の中での各セルの位置を表示する識別子に基づいてセルを前記メモリ手段（ＭＥＭ、ＭＥＭ１、ＭＥＭ２）に記憶させるための手段（ＬＯＧ１）を有する、請求項９に記載の交換装置。
【請求項１１】
セルのヘッダ部分に含まれている、各セルの正しさを表示する質表示子に基づいてセルを前記メモリ手段（ＭＥＭ、ＭＥＭ１、ＭＥＭ２）に記憶させるための手段（ＬＯＧ１）を有する、請求項９又は１０に記載の交換装置。
【請求項１２】
前記メモリ手段に記憶されている各セルを組み合わせて、前記通信網システム（ＡＴＭ）へ回送されるセルの列とするための手段（ＬＯＧ２）を有する、請求項９ないし１１のうちのいずれか１項に記載の交換装置。
【請求項１３】
セルの列を組み合わせる前記手段は、セルの位置を表示する各識別子に基づいて１つのセルのみを選ぶことにより該メモリ手段（ＭＥＭ、ＭＥＭ１、ＭＥＭ２）からセルを選択的に読み出すための手段から成る、請求項１２に記載の交換装置。
【発明の詳細な説明】
【技術分野】
【０００１】
本発明は、固定通信網基盤におけるＡＴＭを利用する無線アクセス通信網に関し、特に、前記無線接続セグメントと関連して、データ転送の見地から効率の良い方法でＡＴＭセルのヘッダフィールドを使用する方法に関する。
【背景技術】
【０００２】
ＡＴＭ（Asynchronous Transfer Mode (非同期転送モード））は、例えばＢ−ＩＳＤＮ通信網（Broadband Integrated Services Digital Network （広帯域サービス統合デジタル通信網））や一般の情報転送装置間の相互通信における未来の高速データ転送システムの候補として熱心に提案されている。この通信網は、ノードと端末装置、及びそれらの間の接続から成る。ＡＴＭ通信網では、情報はデジタル形のセルとして転送され、その各セルは４８バイトのいわゆるペイロードと５バイトのヘッダ部分とから成る。ヘッダ情報の量をなるべく少なく保つために、ヘッダは送信側装置及び受信側装置の間のルーティング（routing)に関する完全な情報を含んではいなくて、問題のデータを運ぶ仮想通路及びチャネルに関する情報だけを含んでいる。通信網のノードは所要のルーティング情報を含んでおり、それに基づいて仮想通路及びチャネルの対応する識別子が次のそれぞれのノードを指すアドレスと解される。
【０００３】
セルヘッダの使用方法はＡＴＭ方式の規格で厳密に指定されている。該ヘッダは、８〜１２ビットの仮想通路識別子（Virtual Path Identifier （ＶＰＩ））と、１６ビットの仮想チャネル識別子（Virtual Channel Identifier（ＶＣＩ））と、０〜４ビットの一般流れ制御（Generic Flow Control（ＧＦＣ））と、ペイロードの種類を表示するのに使われる３ビットと、そのセルの優先順位等級を表示するのに使われる１ビットと、そのセルヘッダの残りの部分に基づいて計算される誤り訂正符号を含む８ビットとを含んでいる。
【０００４】
従来、ＡＴＭ接続は固定された有線又は光ファイバによる接続であると考えられている。しかし、未来のデータ転送方法では、各端末装置がセルラー通信網の移動電話が既に持っているのと同じ移動性と固定接続からの独立性とを持たなければならないことが分かる。機能性及び柔軟な可変性を持っているために、セルラー型の無線アクセス通信網は将来も目立つアーキテクチャである。通常のセルラー通信網は、普通は基地局コントローラ（Base Station Controller （ＢＳＣ））を介して移動交換センター（Mobile Switching Center （ＭＳＣ））に接続される数個の基地送受信機局（Base Transceiver Station (ＢＴＳ））を有する。広域のセルラー通信網は、多数の移動交換センターと、それらに従属する基地送受信機局及び基地局コントローラとを有する。各基地局のカバレージエリア即ちその中で端末装置が前記基地局と無線で接続され得る地理的区域は、セルと呼ばれる。しかし、混同を避けるために、この特許出願ではセルという用語はＡＴＭシステムの規格に従って伝送されるデータの単位だけを指し、その長さは５３バイトである。
【０００５】
データ転送通信網の、無線通信手段が使用されるときにデータ伝送のために無線接続が不可欠であるような部分は、無線アクセスシステム（Wireless Access System (WAS)すなわち Radio Access System) と呼ばれる。セルラー無線通信網を有線接続ＡＴＭ通信網と接続するときには、一般的に指定される無線アクセスシステムは、端末装置から、一般のＡＴＭ規格の如何なる変更も無しに伝送内容が回送されることになるポイントまでのデータ転送セグメントを有する。無線アクセスシステムは一般に、例えば端末装置、基地局及び基地局コントローラから成り、この基地局コントローラは一般のＡＴＭ通信網と有線で接続される。端末装置は移動するものであり、また転送されるデータの特性の故に、ＡＴＭシステムのセル規格において別に指定されていない追加の情報を無線アクセスシステム内で転送する必要がある。その追加の情報は、例えば、マクロダイバーシティー即ち同時に数本の並列の通路に沿っての接続のルーティング、基地局を変更するためのハンドオーバー機能、及び、電話接続の場合の音声データのパッキングなどに関連する情報である。問題は、不要な遅延や資源の無駄を伴わずに如何にして最も効率よくこのデータを無線アクセスシステム内で伝送するかということである。また、ＡＴＭシステム自体はセルの喪失やセル同士の順序の変化から生じるエラーを訂正する如何なるメカニズムも持っていないので、マクロダイバーシティー及びハンドオーバーの機能は異なる基地局を介して転送されるセル同士を同期化する何らかの手段を必要とする。セルレベルでのエラーの結果として、それより高いレイヤで決定された数個のセル（ＰＤＵ、Protocol Data Unit (プロトコルデータ単位））から成るデータ構造が正しくないと認められて捨てられ、多数の正しいセルが再送されなければならないことにもなりかねない。
【０００６】
特許公報ＥＰ３６６３４２（ＡＴ＆Ｔ）が開示している処理手順によると、データは無線接続セルラー通信網でセルとして伝送され、各セルのヘッダ部分には、ルーティングの変更とは無関係に同じに保たれる不変の部分と変化する部分とがあり、その内容は基地局のハンドオーバー又はルーティングの他の何らかの変更と関連して変更される。この公報ではその構成が基地局のハンドオーバーをより容易にすることができると述べられているけれども、ルーティングの定義のみを狙った救済策である。同じ種類の処理手順が特許出願ＥＰ５７７９５９（ロウク・メイナー・リサーチ社）に開示されており、これは特にＡＴＭ通信網を対象とするものである。この場合にはセルのヘッダの不変の部分はいわゆるＶＣＩフィールド（仮想チャネル識別子）であり、変化する部分はいわゆるＶＰＩフィールド（仮想通路識別子）である。
【０００７】
ＩＥＥＥ通信マガジン（IEEE Communications Magazine) の１９９５年５月号に掲載されたホン・リン・トゥルオンの論文「ＡＴＭ通信網におけるＬＡＮエミュレーション」(LAN Emulation on an ATM Network) という論文からショートアドレッシング方法（short addressing method)が知られており、それによるとローカルエリアネットワーク・エミュレーションでわずか１２ビットのアドレス空間を使用することができる。この公報において、１２ビットで表示可能なアドレス数４０９６は小規模なローカルエリアネットワークの必要度には十分であるので、ＡＴＭセルのＶＰＩフィールドの長い形をアドレスとして用いることができる、と提案されている。しかし、ショートアドレッシングデータだけでは、上記した追加のデータを運ぶには不十分である。追加のデータを運ぶために、ＡＴＭセルのペイロード部分を使用することが提案されているけれども、そうすると、転送されるべき現実のデータの割合が小さくなるので、この方法の効率が悪くなる。追加のデータと、転送されるべき現実のデータとをそれぞれ運ぶために無線接続で２つの異なるチャネルを使うことも提案されている。これもシステムの資源を消費し、また一定のＡＴＭセルへ明確にアドレス指定されているデータを正確に転送することは不可能である。
【発明の開示】
【０００８】
Ｋ．Ｙ．エン他が著した「バハマ：広帯域特殊無線ＡＴＭローカルエリアネットワーク」という題名の論文（The article "BAHAMA: A Broadband Ad-Hoc Wireless ATM Local-Area Network", Proc. ICC '95, 18-22 June 1995, Seattle, written by K. Y. Eng et al.）は、ＡＴＭセルのヘッダ部分に含まれるＧＦＣフィールドを用いてセル向けの通し番号付けを実施する手順を開示している。その目的は、２つの平行チャネルに沿って或る組み合わせポイントに到着するセルの列の同期及び組み合わせに寄与することである。セルに番号を付ける目的は、特に、セルの列が組み合わされるときにセルが重複したり失われたりせず且つその順序が不変に保たれることとなるように、セルを一義的に特定することである。しかし、この番号付けだけでは必要な追加のデータを全て運ぶのには不十分であり、ＧＦＣフィールドの４ビットではごく限られた量の情報を運べるに過ぎない。本発明の目的は、ＡＴＭ通信網と接続している無線アクセスシステム内でデータ転送を効率よく実行する方法を提供することである。本発明の他の目的は、この種の無線アクセスシステムにおいて基地局ハンドオーバー及びマクロダイバーシティー操作の使用方法を改善する方法を提供することである。本発明の更なる他の目的は、この種の方法を実施するための装置を提供することである。
【０００９】
本発明の目的は、無線アクセスシステム内ではショートアドレッシングを使用し、接続とセルとに関連する追加の情報をＡＴＭセルのＶＣＩフィールドに置くことにより達成される。
【００１０】
本発明の方法は、遠隔通信システムにおいて無線アクセスシステム内で情報転送を実施する方法であり、その遠隔通信システムは、無線通信に基づいていて、端末装置、少なくとも１つの基地局及び交換機から成る無線アクセスシステムと、有線通信に基づいていて各ノードから成る通信網システムとを含んでおり、前記交換機は同時に前記通信網システムの１つのノードでもあり、前記方法は、ヘッダフィールドを含むヘッダ部分を有するセルとしてデータを伝送させるようになっており、この方法は、前記無線アクセスシステム内では前記セルに関してショートアドレッシング方式を使用し、セルのアドレスデータを前記ヘッダフィールドの或る部分で運ばせ、前記無線アクセスシステム内でのデータ転送に関するセル向けの他のデータを前記ヘッダフィールドの残りの部分で運ばせることを特徴とする。
【００１１】
本発明は、遠隔通信システムにおいて有線接続通信網システムと、少なくとも部分的に無線接続される無線アクセスシステムとの間でデータをセルの形で転送するための交換手段にも関するものであり、前記無線アクセスシステムは端末装置と少なくとも１つの基地局と交換機とから成り、前記通信網システムは各ノードから成り、前記交換機は同時に前記通信網システムの１つのノードでもあり、前記交換手段は、メモリ手段と、前記無線アクセスシステムで転送されるセルのヘッダ部分を解釈すると共に、該セルのヘッダ部分に含まれるセル向けデータに基づいて前記メモリ手段に各セルを記憶させるための手段とを有することを特徴とする。
【００１２】
本発明は、無線アクセスシステム内ではショートアドレッシング方式を使用することができ、無線アクセスセグメントに特有の動作を制御するために必要な接続及び／又はセルに関する追加の情報を各セルのヘッダにフリーに残っている１６ビットのスペースに付加することができるというアイデアに基づいている。セルが無線アクセスシステムから現実のＡＴＭ通信網へ回送されるとき、それらのヘッダは普通のＡＴＭアドレッシングに従って変更される。同時に、セル向けデータは、種々のルートに沿って受信されるセル列を同期化すると共に最善の接続の質を確保するために使われる。
【００１３】
ＶＣＩフィールドは、本発明により、少なくとも基地局と、無線アクセスシステムの一部分である基地局コントローラとの間での情報転送に使われる。基地局と端末装置との間の無線インターフェースを介して、追加のデータはＡＴＭセルのＶＣＩフィールドと同じ方法で、又はその無線インターフェースに特有の所定の方法で、運ばれる。例えば、時分割多元接続（ＴＤＭＡ）方式を使用する無線アクセスシステムでは、追加のデータはタイムスロットに特有のデータであって良く、その場合その位置はその無線アクセスシステムのプロトコルにより決定される。
【００１４】
本発明により、ＡＴＭセルのペイロード部分の全体を、転送されるべき現実のデータのために保存し得るという利点が得られる。更に、追加のデータはセルのヘッダ部分に置かれ、それについての誤り訂正コードはＡＴＭの規格に従って計算されるので、追加のデータの転送は該データがセルのペイロード部分で運ばれる場合より確実である。更に、追加のデータをセル毎に決定することができるので、それを使って各セルを特定することが可能であるが、それはＡＴＭシステムではＡＡＬ１−レベルの０から５までの番号付けを除いて一般には不可能なことである。その場合には基地局コントローラ又はその他の、マクロダイバーシティーにより異なる２つの道に沿ってルーティングされたセル列を組み合わせることを任務とする何らかの交換手段は、どのセルも失われたり重複したりすることの無いように且つセル同士の相互の順序が変わらないように該セルを同期化することができるであろう。
【００１５】
次に、例示的な好ましい実施例と添付図面とを参照して本発明を詳しく説明する。
【発明を実施するための最良の形態】
【００１６】
図において、対応する要素は同じ参照符で特定されている。
【００１７】
図１に示されている遠隔通信システムは、基地局コントローラＢＳＣ、３つの基地局ＢＴＳ１、ＢＴＳ２及びＢＴＳ３、及び端末装置ＭＴから成っている。各基地局は基地局コントローラと有線で接続され、基地局コントローラは一般のＡＴＭ通信網と有線で接続されている。端末装置は少なくとも１つの基地局と無線で接続される。図１の場合、マクロダイバシティーが適用され、端末装置ＭＴは２つの基地局ＢＴＳ２及びＢＴＳ３と接続され、これらの基地局は、組み合わせポイントとして作用する基地局コントローラＢＳＣへ更にデータを送る。従って、いろいろな通路に沿って運ばれるＡＴＭセルに番号を付けることにより、どのセル同士が互いに対応するものなのかを組み合わせポイントで判断できるようにするのが有益である。本発明の好ましい実施例では、該端末装置は、例えば循環的に反復されるセル向けの通し番号及びそれ自身のＭＴＩ（Mobile Terminal Identifier (移動端末装置識別子））などの何らかの識別子を、無線インターフェースを介して転送されるべきデータの中に入れる。無線インターフェースを介して転送されるべきデータは、既にＡＴＭセルの形を取っていても良く、或いは当該分野で知られている何らかの無線転送プロトコルに対応していてもよい。後者の場合には、ＡＴＭセルは基地局ＢＴＳ２及びＢＴＳ３ではじめて形成され、ここでショートアドレッシング方式（short addressing scheme ）が使用され、セル向けの通し番号と、無線インターフェースを介して受信された移動端末装置識別子ＭＴＩとが該基地局によりセルの利用可能なＶＣＩフィールドに置かれる。
【００１８】
また、各基地局は、到来するセルの質を測定するが、それは、ここでは、特にデータの正しさを意味する。伝送状況が異なるために、異なる基地局に受信されるデータは異なる量のエラーを含んでいる。基地局ＢＴＳ２及びＢＴＳ３は、到来するデータの質を表す質表示子を、基地局コントローラＢＳＣへ回送される各セルのＶＣＩフィールドに挿入するのが好都合であり、基地局コントローラＢＳＣは別々のルートを介して受信したセルの中の質表示子を比較して、それらのセルのうちの最良のものを選び取ることができる。
【００１９】
しかし、セルに番号を付けるとき、各セルに別々に番号を付けることが実用的でないことがしばしばある。そういう場合には図２及び図３に示されている方法を使用することができる。セルの列３０はグループに分けられ、そのうちのグループ３１、３２、３３、及び３４が図２及び図３に示されていて、各々のグループは４個のセルから成っている。本発明は実質的には各グループが同数のセルを含んでいることや順番に並んでいることを必要とはせず、各グループのサイズはまちまちであってもよいし、それらがセルの列の中で種々にインタレースしていてもよい。けれども、本発明を理解するには図２及び図３に示されている形が最も理解しやすい。
【００２０】
グループ３１−３４の中の第１のセル（図２及び図３において右側のセル）はいわゆるカウンタセルであり、そのＶＣＩフィールド（図においては別々には示されていない）は連続する通し番号を含む。カウンタのサイクル即ちその後で通し番号が始めに戻る値は、この目的のために使用されるビットの数による。図の実施例では通し番号を表示するために４ビットが使用され、カウンタ値は１から１５まで、限界値（すなわち１、１５）を含めて変化する。各グループの中の他のセルでは、カウンタビットは０又はそのグループの中の該第１のセルのカウンタビットと同じである。図において、各セルの中の数は、当該セルのカウンタビットの値を表している。グループの中の該第１のセル以外のセルのカウンタビットを０にセットすることにより、グループの中の該第１のセルの検出をより容易にすることができる。カウンタビットの或る値は、そのセルのグループ全体を特定するものと解される。グループの始めから数えて幾つ目のセルであるかを特定することにより、グループの中の所定のセルを個別に特定することができる。セル自体はそれぞれの通し番号に関する情報を何も含んではいないので、グループの中のｎ番目のセルの特定は、そのグループの始めからｎ−１番目までのセルのいずれもが失われてはおらず、且つそのグループの中の特定されるセルの位置が変更されていない場合に限って、成功する。これらの２つの必要条件は、共にＡＴＭシステムでも要求される特性である。従って、これらは不当な追加の要件をシステムの信頼性に課すものではない。
【００２１】
図２において、ハッチング付きのセルは [カウンタ＝２、第３のセル] という修飾子により特定される。図３においては、 [カウンタ＝２] という識別子がセルのグループ全体を特定する。グループの中には数個のセルがあるので、カウンタの始めの値へのリセット（リターンバック）は（グループ３１及び３４を参照）、各セルに個別に０−１５の通し番号を付ける場合より遥かに長い間隔をおいて行われる。この様にグループ向けの番号付けを採用した場合には、これを採用しない場合にカウンタのサイクルが短いということ並びに例えば所定のバッファーの中に同時に数百個ものセルが存在することがあるという事実に起因して生じる可能性のある混同の危険が小さくなる。
【００２２】
規則的な通し番号付けに加えて、或いはその代わりとして、他の特定方法を使用することもできる。実行可能な１つの選択肢は、データ転送に関わる全ての装置の間で前もって例えばπの小数などの非循環数列を作成し合意しておくことである。送信側の装置は前記の非循環数列の数を識別子としてセルの列の中の各セルに順序正しく与えてゆく。すると受信側の装置は、例えば前記数列の中の或る箇所に［−３−８−２] という数が並んでいるとすると、到来するセル３及びセル８の次にセル２が続かなければならないことを知る。非循環数列中で或る２つの数が相前後して並ぶことの統計的確率は約１／１００であるので、１桁の数の識別子で数百個のセルの有効カウンタサイクルが達成される。
【００２３】
次に、詳細な例を示す図４及び図５を参照して、データ通信システムへの本発明の適用方法を説明する。説明は、組み合わせポイントとして作用する基地局ドライバーＢＳＣの動作に特に焦点を当てる。
【００２４】
図４及び図５は、端末装置ＭＴ１及びＭＴ２から種々の基地局ＢＴＳ１、ＢＴＳ２及びＢＴＳ３を介して到来するセルの列を組み合わせて同期化するために使われる基地局ドライバーＢＳＣのメモリＭＥＭの一部分と、セル書き込みを制御するロジックＬＯＧ１と、その読み出しを制御するロジックＬＯＧ２とを示す。図は転送される数個のセルＣ１〜Ｃ１０も略図示しているが、明瞭化のために、図示されているのはセルの中の本発明のために重要なフィールドだけである。各セルＣ１〜Ｃ１０のフィールドは、左から右へ、それぞれ移動端末装置識別子、セル識別子及び到来するセルの質を表示する値であり、この最後のセルの質を表示する値は、到来するセルの正しさを測定する基地局ＢＴＳで始めてセルに付加される。上で述べたように、各セルは必ずしもＡＴＭシステムの規格に従って端末装置ＭＴ１及びＭＴ２と基地局ＢＴＳ１〜ＢＴＳ３との間を転送される必要はなく、無線インターフェースで使用される転送プロトコルに従って例えば分割されたり組み合わされたり、且つ／又はインタレースされたりすることができる。
【００２５】
図４及び図５では、基地局ＢＴＳ１は、移動端末装置識別子フィールドの数１で示されている端末装置ＭＴ１からセルＣ１、Ｃ２及びＣ３を受け取っている。それらのセルは現在のカウンタシーケンスの１番目、２番目及び３番目のセルであるけれども、２番目のセルの転送と再送とにより生じたエラーにより、２番目のセルＣ３と３番目のセルＣ２との位置がセルの列の中で入れ代わっている。第１のセルＣ１及び第２のセルＣ３の質の等級（クラス）は２であり、第３のセルＣ２の質の等級は１である。ここでは、セルの質の等級、即ちその正しさは、その質の等級を表す値が大きいほど良好であるものと仮定する。第１の端末装置ＭＴ１が送ったセルＣ４及びＣ６と、第２の端末装置ＭＴ２が送ったセルＣ５とは第２の基地局ＢＴＳ２を介して受信されている。第２の端末装置ＭＴ２が送ったセルＣ７は第３の基地局ＢＴＳ３を介して受信されている。
【００２６】
基地局コントローラＢＳＣでは、ロジックＬＯＧは、前記セルを、各端末装置ＭＴ１及びＭＴ２向けの使用のために動的（ダイナミック）に保存されている記憶領域ＭＥＭ１及びＭＥＭ２へ回送する。図４及び図５の実施例では、各該記憶領域は更に行及び列に分割されていて、各行は一定のシーケンス数即ち通し番号に対応し、各列は一定の質の等級に対応する。従って、セルＣ１は、端末装置ＭＴ１向けに使用されるべく保存されている記憶領域ＭＥＭ１の第１行の第２列へ回送され、セルＣ２は同じ領域の第３行の第１列へ回送され、セルＣ３は第２行の第２列へ回送される。同様に、セルＣ４は第２行の第４列へ回送され、セルＣ６は第３行の第３列へ回送される。セルＣ５及びＣ７は、端末装置ＭＴ２向けに使用されるべく保存されている記憶領域ＭＥＭ２の、該セルのシーケンス番号即ち通し番号と質の等級数とによりそれぞれ特定される記憶場所へ回送される。セルＣ８〜Ｃ１０の回送は、その受信により規定される該セルの質の等級に応じて決定される。
【００２７】
基地局コントローラＢＳＣは、順方向へセルの列を送るべく組み合わせ、それによりロジックＬＯＧ２は、各通し番号に対応する行の、最高の質の等級に対応する値を順に読み出す。例えば、図４及び図５の場合には、端末装置ＭＴ１が送ったデータを順方向に送るために各セルＣ１、Ｃ４及びＣ６がメモリＭＥＭからセルの列に読み込まれる。各端末装置のために同じ大きさの記憶容量が保存されることを必要としないもう一つの実現可能な実施例では、基地局コントローラのメモリには端末装置１台あたりに１列だけがあり、或る行の通し番号に対応する到来したセルがその行に記憶されるのは、その行が依然として空である場合と、その行に既に記憶されているセルの質の等級より新しいセルの質の等級の方がより良好である場合とに限られる。後者の場合には、より良い質を持ったセルは以前のセルの上に上書き記憶されて、以前のセルは削除される。図４及び図５に示されている４段階の質の分類は単なる例に過ぎず、当該分野で知られている他の質の分類方法をも利用し得ることは当業者には明らかなことである。同様に、図４及び図５に示される実施例のように通し番号を付ける代わりに、他の通し番号の付け方を利用することもできる。種々の基地局が何時でもデータを一度に１個のセルづつ送って他の基地局から送られたデータと組み合わせることができるので、基地局のハンドオーバーのために特別の手段は不要である。
【００２８】
図４及び図５の動作を実施するために、当該分野で知られている基地局コントローラと関連して動作するＡＴＭ交換機に大幅な変更を加える必要はない。セルのルーティングの管理のためのロジック自体をハードウェア又はソフトウェアとして具体化することは当業者には公知のことである。ＡＴＭセルのヘッダフィールドに挿入されるセル向けのデータに基づいてセルの列の組み合わせと同期化とを制御する本発明の上記の構成により、良好な信頼性とマクロダイバシティー機能とが達成される。転送されるべき現実のデータを運ぶためにセルのペイロード部分を使うことができるので、システムは効率的に作用し、利用可能な資源が良好に活用されることになる。上述の記述ではＡＴＭシステムにおける本発明の実施のみに言及したけれども、本発明は、限られた区域の中での内部的データ転送のために特にその限られた区域内でのセル又はフレームに関するデータ転送が必要となる他の通信網システムにも適用され得るものであり、前記データは、前記区域内でショートアドレッシング方式が適用されるためにフリーに残されているセル又はフレームの１個又はいくつかのヘッダフィールドの部分に挿入される。
【００２９】
要するに本発明によれば、有線接続通信網システムと、少なくとも部分的に無線接続される無線アクセスシステムとからなる、データをセル（Ｃ１〜Ｃ１０）として運ぶ遠隔通信システムにおいて、該無線アクセスシステム内での内部制御のためにセル向けデータを転送するためにセルのヘッダフィールドに使用可能なスペースが残るように、その無線アクセスシステム内ではショートアドレッシング方式を使用する。例えばマクロダイバシティーの場合、基地局（ＢＴＳ１、ＢＴＳ２、ＢＴＳ３）により形成されるＡＴＭセルに端末装置（ＭＴ１、ＭＴ２）の識別子、セルの通し番号、及び、到来するセルの質を表す表示子が該基地局によって付加される。交換機として動作する基地局コントローラ（ＢＳＣ）は、種々の経路を経由するようにルーティングされた各セルをメモリ（ＭＥＭ、ＭＥＭ１、ＭＥＭ２）に記憶させることにより組み合わせ、このメモリにおいて各通し番号に対応するセルが、それらの質表示子により表される順序に配列される。各通し番号について、最良の質を表している１つのセルだけが読み出されて、その読み出されたセルから形成されるセルの列が通信網システムへ回送される。
【図面の簡単な説明】
【００３０】
【図１】本発明を適用することのできる遠隔通信システムを示す図である。
【図２】本発明の好ましい１実施例によるセル特定の処理手順を示す図である。
【図３】図２の実施例とは別のセル特定の処理手順を示す図である。
【図４】図１の遠隔通信システムをより詳しく示す図（その１）である。
【図５】図１の遠隔通信システムをより詳しく示す図（その２）である。
【符号の説明】
【００３１】
３０    セルの列
３１，３２，３３，３４    セルグループ
Ｃ１−Ｃ１０    セル
ＢＳＣ    基地局コントローラ
ＢＴＳ１，ＢＴＳ２，ＢＴＳ３    基地局
ＭＴ１，ＭＴ２    端末装置
ＭＥＭ    メモリ
ＭＥＭ１，ＭＥＭ２    メモリの記憶領域
【図１】
2006311610.tif 000003
【図２】
2006311610.tif 000004
【図３】
2006311610.tif 000005
【図４】
2006311610.tif 000006
【図５】
2006311610.tif 000007
【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
遠隔通信システムにおいて無線アクセスシステム内で情報転送を実施する方法であって、その遠隔通信システムは、無線通信に基づいていて端末装置（ＭＴ１、ＭＴ２）、少なくとも１つの基地局（ＢＴＳ１、ＢＴＳ２、ＢＴＳ３）及び交換機（ＢＳＣ）から成る無線アクセスシステムと、有線通信に基づいていて各ノードから成る通信網システム（ＡＴＭ）とを含んでおり、前記交換機（ＢＳＣ）は同時に前記通信網システムの１つのノードでもあり、前記方法は、ヘッダフィールドを含むヘッダ部分を有するセル（Ｃ１−Ｃ１０）として前記端末装置と前記の少なくとも１つの基地局との間で情報を伝送させるようになっており、前記無線アクセスシステム内では前記セルに関してショートアドレッシング方式を使用し、各セルのアドレスデータを前記ヘッダフィールドの所定の部分で運ばせ、
前記無線アクセスシステム内でのデータ転送に関する他のデータであってかつ前記セルに書き込まれる他のデータを、前記ショートアドレッシング方式を使用することに起因して残されている前記ヘッダフィールドの残りの部分で運ばせ、
かつ前記の他のデータは、運ばれるべきデータの出所である端末装置（ＭＴ１、ＭＴ２）の識別子、及び連続するセルにより形成されるセルの列の中での他のセルとの関係での前記セルの位置を表示する識別子を含むことを特徴とする方法。
【請求項２】
前記の他のデータは、前記セルに含まれているデータの正しさを表示する質表示子を含む、請求項１に記載の方法。
【請求項３】
前記セル（Ｃ１〜Ｃ１０）は、無線アクセスシステムにおいて前記端末装置（ＭＴ１、ＭＴ２）から少なくとも２つの基地局（ＢＴＳ１、ＢＴＳ２、ＢＴＳ３）を介して前記交換機（ＢＳＣ）に至るようにルーティングされる、請求項１又は２に記載の方法。
【請求項４】
前記交換機（ＢＳＣ）は、種々の基地局を経由するように或る端末装置からルーティングされたセル（Ｃ１〜Ｃ１０）を組み合わせて、前記通信網システム（ＡＴＭ）へ回送されるべき１つのセルの列とする、請求項３に記載の方法。
【請求項５】
組み合わされて前記の１つのセルの列となるべく種々の基地局を経由するように或る端末装置（ＭＴ１）からルーティングされたセル（Ｃ１、Ｃ２、Ｃ３、Ｃ４、Ｃ６）は、該セル同士の相対的位置を表示する識別子により与えられる順序で該交換機の記憶手段（ＭＥＭ、ＭＥＭ１、ＭＥＭ２）に記憶される、請求項４に記載の方法。
【請求項６】
組み合わされて前記の１つのセルの列となるべく種々の基地局を経由するように或る端末装置（ＭＴ１）からルーティングされたセル（Ｃ１、Ｃ２、Ｃ３、Ｃ４、Ｃ６）は、該セルの正しさを表示する質表示子により与えられる順序でも該交換機の記憶手段（ＭＥＭ、ＭＥＭ１、ＭＥＭ２）に記憶される、請求項５に記載の方法。
【請求項７】
遠隔通信システムにおいて有線接続通信網システムと、少なくとも部分的に無線接続される無線アクセスシステムとの間で情報をセルの形で転送するための交換装置であって、前記無線アクセスシステムは端末装置（ＭＴ１、ＭＴ２）と少なくとも１つの基地局（ＢＴＳ１、ＢＴＳ２、ＢＴＳ３）と交換機（ＢＳＣ）とから成り、前記端末装置（ＭＴ１、ＭＴ２）及び前記の少なくとも１つの基地局はヘッダフィールドを含むヘッダ部分を有するセルとしてそれらの間で情報を伝送させるようにされており、前記通信網システムは各ノードから成り、前記交換機（ＢＳＣ）は同時に前記通信網システムの１つのノードでもあり、前記交換装置は、メモリ手段（ＭＥＭ）と、前記無線アクセスシステムで転送されるセルのヘッダ部分を解釈すると共に、該セルのヘッダ部分に含まれるデータであってかつ前記セルに書き込まれるデータに基づいて前記メモリ手段に該セルを記憶させるための手段（ＬＯＧ１）とを有し、
前記ヘッダ部分は前記無線アクセスシステム内でショートアドレッシング方式を使用することに起因して残されているヘッダ部分であって、前記無線アクセスシステム内でのデータ転送に関するデータでありかつ前記セルに書き込まれるデータを含み、
かつ前記データは、運ばれるべきデータの出所である端末装置（ＭＴ１、ＭＴ２）の識別子、及び連続するセルにより形成されるセルの列の中での他のセルとの関係での前記セルの位置を表示する識別子を含むことを特徴とする交換装置。
【請求項８】
セルのヘッダ部分に含まれている、セルの列の中での各セルの位置を表示する識別子に基づいてセルを前記メモリ手段（ＭＥＭ、ＭＥＭ１、ＭＥＭ２）に記憶させるための手段（ＬＯＧ１）を有する、請求項７に記載の交換装置。
【請求項９】
セルのヘッダ部分に含まれている、各セルの正しさを表示する質表示子に基づいてセルを前記メモリ手段（ＭＥＭ、ＭＥＭ１、ＭＥＭ２）に記憶させるための手段（ＬＯＧ１）を有する、請求項７又は８に記載の交換装置。
【請求項１０】
前記メモリ手段に記憶されている各セルを組み合わせて、前記通信網システム（ＡＴＭ）へ回送されるセルの列とするための手段（ＬＯＧ２）を有する、請求項７ないし９のうちのいずれか１項に記載の交換装置。
【請求項１１】
セルの列を組み合わせる前記手段は、セルの位置を表示する各識別子に基づいて１つのセルのみを選ぶことにより該メモリ手段（ＭＥＭ、ＭＥＭ１、ＭＥＭ２）からセルを選択的に読み出すための手段から成る、請求項１０に記載の交換装置。